(57)【要約】  呼生成のシステムと方法を提供する。特定の方法は、移動通信装置で宛先アドレスを表す入力を受信することを含んでいる。また、この方法は宛先アドレスが事前定義されたタイプであるかどうかを判断することを含んでいる。この方法は、宛先アドレスが事前定義されたタイプであるとき、移動通信ネットワークを通して通信ブリッジへの呼び出しを開始することをさらに含んでいる。また、この方法は、宛先アドレスで装置に通信接続を開始するための指示命令を通信ブリッジに送信することを含んでいる。
2011507393.tif 000002
【特許請求の範囲】
【請求項１】
呼生成の方法であって、
移動通信装置にて、宛先アドレスを表す入力を受信するステップと、
前記宛先アドレスが事前定義されたタイプであるかどうかを判断するステップと、
前記宛先アドレスが前記事前定義されたタイプであるとき、移動通信ネットワークを通して通信ブリッジに呼を開始して、前記宛先アドレスで装置に通信接続を開始するために指示命令を前記通信ブリッジに送信するステップと、
を含む方法。
【請求項２】
請求項１記載の方法であって、
前記宛先アドレスが前記事前定義されたタイプではないとき、前記移動通信ネットワークを通して前記宛先アドレスに通信を開始することをさらに含む方法。
【請求項３】
請求項１記載の方法であって、
前記移動通信ネットワークを通して認証情報を前記通信ブリッジに送信することをさらに含む方法。
【請求項４】
請求項３記載の方法であって、
前記認証情報が発呼者識別情報を含む方法。
【請求項５】
請求項３〜４記載の方法であって、
前記認証情報が前記移動通信装置のユーザから受信されない方法。
【請求項６】
請求項１記載の方法であって、
前記宛先アドレスが事前定義されたタイプであるかどうかを判断するのに前記宛先アドレスの英数字ケタを解析することを含む方法。
【請求項７】
請求項１記載の方法であって、
前記宛先アドレスが事前定義されたタイプであるかどうかを判断するのに宛先アドレスパターンに前記宛先アドレスを対照することを含む方法。
【請求項８】
請求項１記載の方法であって、
前記宛先アドレスが事前定義されたタイプであるかどうかを判断するのに前記事前定義されたタイプを判断するためにユーザコンフィギュレーションデータにアクセスすることを含む方法。
【請求項９】
請求項１記載の方法であって、
前記事前定義されたタイプが国際電話アドレスを含む方法。
【請求項１０】
請求項１記載の方法であって、
ユーザがダイヤルした前記通信ブリッジの電話アドレスを受信することなく、前記呼に関連した呼セットアップの期間中に、前記通信ブリッジへ前記呼が前記移動通信装置によって自動的に開始される方法。
【請求項１１】
請求項１記載の方法であって、
ユーザがダイヤルした前記通信ブリッジに関連したアクセスコードを受信することなく、前記呼に関連した呼セットアップの期間中に、前記宛先アドレスで前記装置への前記通信接続が前記通信ブリッジによって自動的に開始される方法。
【請求項１２】
請求項１１記載の方法であって、
前記通信ブリッジがＶｏＩＰ（Ｖｏｉｃｅ  ｏｖｅｒ  Ｉｎｔｅｒｎｅｔ  Ｐｒｏｔｏｃｏｌ) 電話ブリッジを含み、前記呼がＶｏＩＰ呼を含む方法。
【請求項１３】
移動通信装置であって、
宛先通信アドレスを表す入力を受信するための入力装置と、
前記宛先通信アドレスが事前定義されたタイプであるかどうかを判断するためのアドレス解析モジュールと、
前記宛先通信アドレスが前記事前定義されたタイプであるとき、通信ブリッジに呼を開始して、前記宛先通信アドレスの装置に通信接続を開始するために指示命令を前記通信ブリッジに送信するための呼モジュールと、
を含む移動通信装置。
【請求項１４】
請求項１３記載の移動通信装置であって、
前記呼モジュールが、音声通信データを前記通信ブリッジに送信し、前記宛先通信アドレスの前記装置と通信するためにＶｏＩＰ（Ｖｏｉｃｅ  ｏｖｅｒ  Ｉｎｔｅｒｎｅｔ
Ｐｒｏｃｏｔｏｌ）データに変換されるように、さらに適合した移動通信装置。
【請求項１５】
請求項１３記載の移動通信装置であって、
前記アドレス解析モジュールが、前記宛先通信アドレスが前記事前定義されたタイプであるかどうかを判断するために前記宛先通信アドレスの英数字ケタを解析するように構成された移動通信装置。
【発明の詳細な説明】
【技術分野】
【０００１】
本開示は一般的に呼生成に関連する。
【背景技術】
【０００２】
個人利用者やビジネスにとって、移動通信装置が望ましい特徴を提供することがわかる。旅行の時や地上通信線による通信へのアクセスから離れてしまっている時であっても通信することが可能な機能などである。さらに、移動通信装置を通して生成されたいくつかの呼が、地上通信線を通して生成された呼より、より安かったり、または便利である場合がある。しかしながら、移動通信装置を使用して生成されたいくつかの呼が、地上通信線を通して生成された呼より高価である場合があったり、機能が限定されてしまうかもしれない。したがって、呼を生成するための改善されたシステムと方法の必要性がある。
【図面の簡単な説明】
【０００３】
【図１】呼を生成するシステムの最初の実施例の図である。
【図２】呼を生成するシステムの２番目の実施例の図である。
【図３】呼を生成する方法の最初の実施例のフローチャートである。
【図４】呼を生成するためのユーザインターフェースの最初の実施例の図である。
【図５】呼を生成するためのユーザインターフェースの２番目の実施例の図である。
【図６】呼を生成するためのユーザインターフェースの３番目の実施例の図である。
【図７】呼を生成する方法の２番目の実施例のフローチャートである。
【図８】呼を生成する方法の３番目の実施例のフローチャートである。
【図９】呼を生成する方法の４番目の実施例のフローチャートである。
【発明を実施するための形態】
【０００４】
呼を生成するシステムが開示されている。システムはアクセスインターフェースに関連している電話アドレスで音声通話を受けるためのアクセスインターフェースを含んでいる。移動通信装置で受信した宛先通信アドレスに基づくアクセスインターフェースを通して、呼は移動通信装置によって呼を経路決定する移動通信装置の自動決定機能に対応して開始される。また、システムは、宛先通信アドレスに対して通信を開始して、宛先通信アドレスへの通信のために交互の通信プロトコルに音声通話を変換するための通信ブリッジを含んでいる。
【０００５】
別の特定の実施例では、処理装置にて読み込み可能な媒体は処理装置による実行時に処理装置が宛先アドレスを表す入力を受信する指示命令を含んでいる。また、処理装置にて読み込み可能な媒体は処理装置による実行時に処理装置が宛先アドレスが事前定義されたタイプであるかどうかを判断する指示命令を含んでいる。また、処理装置にて読み込み可能な媒体は宛先アドレスが事前定義されたタイプであるとき処理装置による実行時に処理装置が移動通信ネットワークを通して通信ブリッジに呼を開始する指示命令を含んでいる。処理装置にて読み込み可能な媒体はさらに処理装置による実行時に処理装置が宛先アドレスに通信接続を開始するための指示命令を通信ブリッジに送信する指示命令を含んでいる。
【０００６】
別の特定の実施例では、移動通信装置は、宛先通信アドレスを表す入力を受信するために入力装置を含んでいる。また、移動通信装置は、宛先通信アドレスが事前定義されたタイプであるかどうかを判断するためにアドレス解析モジュールを含んでいる。移動通信装置は、宛先通信アドレスが事前定義されたタイプであるとき、通信ブリッジに対して呼を開始して、宛先通信アドレスに通信接続を開始するための指示命令を通信ブリッジに送信するために呼制御モジュールも含んでいる。
【０００７】
別の特定の実施例では、呼を生成する方法が開示されている。この方法は、移動通信装置で宛先アドレスを表す入力を受信することを含んでいる。またこの方法は、宛先アドレスが事前定義されたタイプであるかを判断することも含んでいる。この方法は、宛先アドレスが事前定義されたタイプであるとき、移動通信ネットワークを通して通信ブリッジに対して呼を開始することをさらに含んでいる。また、この方法は、宛先アドレスに通信接続を開始するための指示命令を通信ブリッジに送信することも含んでいる。
【０００８】
図１は呼を生成するためのシステムの最初の実施例を示す。システムを一般に１００と指称する。システム１００は移動通信装置１０４を持っているユーザ１０２を含んでいる。移動通信装置１０４は、無線通信方式１０６で交信するために適合している。無線通信方式１０６はサーバシステム１０８と通信が可能である。単一のサーバシステム１０８が図示されているが、「システム」という用語は本明細書に記載された機能の１つ以上を実行するための１つもしくは複数の指示命令の、個別または共同のセットであるシステム、もしくはサブシステムのどのような集合をも含んでいる。サーバシステム１０８は無線通信方式１０６と通信ネットワーク１２０での通信をブリッジ（経由、転送）することができる。２番目のユーザ１２２に関連づけられた、コンピュータ１２６、無線通信装置１２４または有線通信装置１２８などのように、通信ネットワーク１２０はユーザ装置とのＩＰ（Ｉｎｔｅｒｎｅｔ  Ｐｒｏｔｏｃｏｌ）通信を可能にする。通信ネットワーク１２０は、移動通信装置１０４から受信されたデータをＩＰ通信などの別の通信プロトコルに変換して公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）などの通信ネットワーク上の通信に伝送するための１つ以上の追加ブリッジシステムを含むことができる。
【０００９】
サーバシステム１０８は、無線通信方式１０６との通信を容易にするためにアクセスインターフェース１１０を含んでいる。アクセスインターフェース１１０は、アクセスインターフェース１１０に関連している通信アドレスへの呼を受信するために適合させられる。例えば、呼は移動通信装置１０４の自動決定に対応して移動通信装置１０４によって開始され、アクセスインターフェース１１０を通して呼を経路決定するすることができる。例説すると、移動通信装置１０４が受信した宛先アドレスの評価に基づき、移動通信装置１０４はＶｏＩＰ（Ｖｏｉｃｅ  ｏｖｅｒ  Ｉｎｔｅｒｎｅｔ  Ｐｒｏｔｏｃｏｌ）呼の経路決定を自動的に決定してもよい。
【００１０】
サーバシステム１０８はロジック１１２とロジック１１２からアクセス可能なメモリ１１４を含んでいる。メモリ１１４は、サーバシステム１０８の様々な機能を実施するためにロジック１１２で実行可能な複数のモジュール１１６−１１８を含んでいる。ハードウェア、ソフトウェアまたはそれらのどのような組み合わせでもモジュール１１６−１１８を実現することができる。
【００１１】
特定の実施例では、メモリ１１４はＶｏＩＰ電話ブリッジなどの通信ブリッジ１１６を含むことができる。ＶｏＩＰ電話ブリッジ１１６はロジック１１２によって実行されて、移動通信システム１０６で呼を受信して、呼に基づいて、２番目のユーザ１２２に関連しているユーザ装置などのような、２番目の装置と通信することができる。例えば、通信ブリッジ１１６がＶｏＩＰ電話ブリッジを含んでいるところでは、ＶｏＩＰ電話ブリッジは、モジュール通信装置１０４から宛先通信アドレスを受信して、宛先通信アドレスに対して呼を開始して、宛先通信アドレスへの伝送のために移動通信装置１０４からＶｏＩＰ呼へ受信された音声通話データを変換するために適合させられる。例えば、ＶｏＩＰ電話ブリッジは、宛先通信アドレスへの伝送のため移動通信装置１０４から携帯電話プロトコルで受信された信号をＶｏＩＰ信号に変換し、移動通信装置１０４への伝送のため宛先通信アドレスから受信されたＶｏＩＰ信号を携帯電話プロトコル信号に変換してもよい。特定の実施例では、通信ブリッジ１１６は、移動通信装置１０４と宛先アドレスに関連している装置（例えば、コンピュータ１２６、無線通信装置１２４、有線通信装置１２８、または別の通信装置）との非音声データ通信を容易にするために適合させてもよい。例えば、通信ブリッジ１１６が移動通信装置と２番目の装置（すなわち、宛先アドレスと関連した装置）との間の通信リンクを確立した後に、移動通信装置１０４は、２番目の装置に格納されたデータにアクセスしてもよいし、２番目の装置は移動通信装置に、または両方向にデータを送信することができる。データは音声か非音声データを含むことができる。例えば、データはマルチメディアデータ、テキストデータ、グラフィックスデータなどを含むことができる。いくつかの非限定的な実施例が示すように、データは連絡先リスト情報、写真、ビデオ、実行可能なプログラムアプリケーション、ウェブページ、またはいかなる他の種類の情報をも含むことができる。
【００１２】
メモリは課金モジュール１１８も含むことができる。課金モジュール１１８は移動通信装置１０４から受信された認証情報に基づいて移動通信装置１０４を認証することができる。例えば、移動通信装置１０４は移動通信装置１０４が通信ブリッジ１１６を使用してサーバシステム１０８経由で呼を送信することが許可されるための認証情報を有効にすることを送信することができる。特定の実施例では、ユーザアクセス電話番号は課金モジュール１１８からアクセス可能なユーザ課金レコードに関連づけることができる。サーバシステム１０８でユーザアクセス電話番号で呼を受信するとき、課金モジュール１１８は、ユーザ課金レコードの認証電話レコードの呼に関連している発呼者識別情報を対照することができる。発呼者識別情報がユーザアクセス電話番号に関連している認証された電話に関連しているのであれば呼は認証され、そして通信ブリッジ１１６は宛先通信アドレスに呼をブリッジ（経由、転送）するために呼び出される。
【００１３】
図２は呼を生成するためのシステムの２番目の特定の実施例を示す。システムは移動通信装置２０２を含んでいる。移動通信装置２０２は無線通信プロトコルを使用することで無線通信信号を送信、受信するために適合したアンテナ２０４を含んでいる。移動通信装置２０２はディスプレイ２０６、および入力装置２０８をも含んでいる。入力装置２０８は、宛先通信アドレスを示す入力を受信するために適合しており、それらは電話番号、ＳＭＳ（Ｓｈｏｒｔ  Ｍｅｓｓａｇｉｎｇ  Ｓｅｒｖｉｃｅ）アドレス、ウェブサイトアドレスなどである。入力装置はマイクロホン、キーパッド、タッチスクリーン、１つ以上のソフトボタン、他の入力装置、またはそれらのどのような組み合わせも含むことができる。
【００１４】
移動通信装置２０２はロジック２１０とロジック２１０を経由してアクセス可能なメモリ２１２をも含んでいる。特定の実施例では、移動通信装置２０２は１セット以上の指示命令（例えば、ソフトウェア）を埋め込むことができるコンピュータ読み込み可能な媒体を含んでいる。指示命令は、本明細書に記載されるように、方法かロジックの１つ以上を実施してもよい。特定の実施例では、指示命令は全体、または少なくとも部分的にメモリ２１２や、別のメモリ（図示せず）の中、そして／または、ロジック２１０の中にあってもよい。例えば、メモリ２１２は移動通信装置２０２の様々な機能を実施するために適合した１つ以上のモジュールを含むことができる。ハードウェア、ソフトウェア、またはそれらのどのような組み合わせでもモジュールを実現することができる。例えば、メモリ２１２はロジック２１０によって実行される１つ以上のモジュールの機能を実施する１つ以上のソフトウェアアプリケーションを含むことができる。代替の実施例では、本明細書に記載された方法の１つ以上を実施するために、特定用途向ＩＣなどの専用ハードウェア実装（プログラマブルロジックアレイと他のハードウェアデバイス）を構成することができる。従って、システムはソフトウェア、ファームウェア、およびハードウェア実装を包含している。
【００１５】
移動通信装置２０２はアドレス解析モジュール２１６をも含んでいる。アドレス解析モジュール２１６は、移動通信アドレス２０２で受信された宛先通信アドレスが事前定義されたタイプであるかを判断するために適合している。特定の実施例では、ユーザコンフィギュレーション設定に基づいて宛先アドレスの事前定義されたタイプを判断してもよい。例えば、ユーザコンフィギュレーション設定は、事前定義されたタイプの宛先アドレスが国際電話アドレス、長距離電話アドレス、地域電話アドレス、他の電話アドレス、インターネットアドレス、ＵＲＩ（Ｕｎｉｖｅｒｓａｌ  Ｒｅｓｏｕｒｃｅ  Ｉｄｅｎｔｉｆｉｅｒ）アドレス、電子メッセージ通信アドレス（すなわち、ＳＭＳ、Ｍｕｌｔｉｍｅｄｉａ  Ｍｅｓｓａｇｉｎｇ  Ｓｅｒｖｉｃｅｓ（ＭＭＳ）、またはＥメールアドレス）、またはそれらのどのような組み合わせも含んでいるのを表していてもよい。特定の実施例では、アドレス解析モジュール２１６は、宛先通信アドレスが事前定義されたタイプであるかを判断するために宛先通信アドレスの英数字のケタを解析する。別の特定の実施例では、アドレス解析モジュール２１６は１つ以上の宛先通信アドレスパターンに宛先通信アドレスを対照する。宛先通信アドレスパターンは呼に特定のタイプがあることを示す特徴を含むことができる。例えば、宛先通信アドレスパターンは宛先通信アドレスのケタの数に基づく国際電話を特定することができる。別の実施例では、宛先通信アドレスパターンは宛先通信アドレスでの市外局番の表示か特定の市外局番の表示に基づく長距離通話を特定することができる。さらに別の実施例では、宛先通信アドレスパターンはＵＲＩアドレス体系（すなわちｈｔｔｐ、ｍａｉｌｔｏ、ｆｔｐなど）の表示に基づいているか、または宛先通信アドレスがＵＲＩであることを示す他の表記法（シンタックス）か意味論（セマンティックス）に基づく電子メッセージ通信アドレスかインターネットアドレスを特定することができる。
【００１６】
移動通信装置２０２は呼制御モジュール２１４をも含むことができる。宛先通信アドレスが事前定義されたタイプであるとき、通信ブリッジに対して呼を開始するために呼制御モジュール２１４を適合させることができる。呼制御モジュール２１４は、宛先通信アドレスに通信を開始するか、または経路決定するための指示命令を通信ブリッジに送信することもできる。特定の実施例では、通信ブリッジはＶｏＩＰ（Ｖｏｉｃｅ  ｏｖｅｒ  Ｉｎｔｅｒｎｅｔ  Ｐｒｏｔｏｃｏｌ）電話ブリッジを含んでいる。そして、呼制御モジュール２１４は、宛先アドレスとの通信のためにＶｏＩＰデータに変換されるように音声通信データをＶｏＩＰ電話ブリッジに送信するようにも適合される。例えば、呼制御モジュール２１４は無線通信プロトコルを使用するＶｏＩＰ電話ブリッジと通信することができる。
【００１７】
通信ブリッジで非音声データにアクセスするために呼制御モジュール２１４を適合させることもできる。例えば、宛先アドレスへの通信リンクが確立された後に、呼制御モジュールは、宛先アドレスに関連している装置から非音声データを受信してもよい。呼制御モジュール２１４は、データを受信して移動通信装置２０２の別の部分からのアクセスのために、メモリ２１２にデータを格納するように適合させてもよい。例えば、呼制御モジュール２１４は、通信ブリッジ経由で画像データを受信して、移動通信装置２０２の画像ビューワ要素（図示せず）から画像データにアクセスできるメモリ２１２に画像データを格納してもよい。別の例では、呼制御モジュール２１４は、通信ブリッジ経由で連絡先リストデータを受信して、移動通信装置２０２のアドレス帳管理要素（図示せず）から連絡先リストデータにアクセスできるメモリ２１２に連絡先リストデータを格納してもよい。
【００１８】
図３は呼を生成する方法の最初の特定の実施例を示す。方法を一般に３００と指称する。方法３００は３０２において、移動通信装置で宛先通信アドレスを表す入力を受信することを含んでいる。例えば、入力は移動通信装置のキーパッドを通して入力された一連のケタ、メモリ（例えば、連絡先リストや短縮ダイヤルリスト）からの通信アドレスを選択する入力、音声入力、宛先アドレスを表すいかなる他の入力、またはそれらのどのような組み合わせも含むことができる。
【００１９】
方法３００は３０４において、宛先通信アドレスが事前定義されたタイプ３０８であるかどうかを判断することも含んでいる。方法３００は、どのタイプの呼が事前定義されたタイプ３０８であるかを判断するためにユーザコンフィギュレーションデータ３０６にアクセスすることを含むことができる。ユーザコンフィギュレーションデータ３０６は宛先通信アドレスの事前定義されたタイプ３０８を定義する情報を含むことができる。例えば、事前定義されたタイプ３０８は国際電話、長距離通話、市内通話、他のタイプの通話、ＵＲＩ（Ｕｎｉｖｅｒｓａｌ  Ｒｅｓｏｕｒｃｅ  Ｉｄｅｎｔｉｆｉｅｒ）、ネットワークアドレス、電子メッセージ通信アドレス、またはそれらのどのような組み合わせを含むものであってもよい。別の特定の実施例では、ユーザコンフィギュレーションデータ３０６は１つ以上の宛先通信アドレスパターン３１０を含むことができる。例えば、宛先通信アドレスパターン３１０は、国際電話や長距離通話のような、特定のタイプの呼を識別することができる十分な情報を含むことができる。例説すると、宛先通信アドレスパターンは呼が国際電話コードが事前定義されたタイプであることを含んでいることを表すことができる。別の例では、宛先通信アドレスパターンは事前定義されたタイプには特定の市外局番を含んでいる呼があることを表すことができる。呼の宛先通信アドレスが事前定義されたタイプであるかどうかは、宛先通信アドレスの英数字のケタを解析することによって判断することができる。
【００２０】
宛先通信アドレスが事前定義されたタイプであるとき、方法３００は３１４において、移動通信ネットワークを通して通信ブリッジに対して呼を開始することを含んでいる。方法３００は３１６において、移動通信ネットワークを通して認証情報を通信ブリッジに送信することも含んでいる。例えば、認証情報は発呼者識別情報を含むことができる。別の例では、認証情報は移動通信装置のメモリに格納されたキーもしくは他の認証データを含むことができる。方法３００は３１８において、宛先通信アドレスに通信接続を開始するための指示命令を通信ブリッジに送信することをさらに含んでいる。通信接続が確立されたとき、通信ブリッジは通信のために最初の通信プロトコル（例えば、移動通信プロトコル）で移動通信装置から受信した通信データを宛先通信アドレスの２番目の通信プロトコルに変換するものであってもよい。同様に、通信ブリッジは移動通信装置への伝送のため２番目のプロトコルで宛先通信アドレスから受信した通信データを最初のプロトコルに変換することができる。
【００２１】
宛先通信アドレスが事前定義されたタイプではないとき、方法３００は３１２において、移動通信ネットワークを通して宛先通信アドレスに呼を開始することを含んでいる。例えば、無線通信ネットワーク、公衆交換電話網（ＰＳＴＮ）、または両方を通して宛先通信アドレスに呼を接続できる。
【００２２】
特定の実施例では、方法３００はＶｏＩＰ（Ｖｏｉｃｅ  ｏｖｅｒ  ＩｎｔｅｒｎｅｔＰｒｏｔｏｃｏｌ）呼として通信ブリッジを通して呼を経路決定することにより、ＶｏＩＰ呼としてどのような宛先通信アドレスにも発呼することを許容する。方法３００はユーザが通信ブリッジを通して呼を開始するために通信ブリッジの電話アドレスをダイヤルすることは必要としない。それどころか、方法３００は呼が宛先アドレスの特定のタイプに対するものかどうかを判断して、そうであれば、自動的に通信ブリッジに対して発呼を行う。宛先通信アドレスは宛先通信アドレスに通信接続を開始するコマンドと一緒に通信ブリッジを通過する。方法３００はユーザが通信ブリッジを通して通信を開始するために通信ブリッジに関連しているアクセスコードを入力することも必要としない。それどころか、方法３００は通信ブリッジを使用して移動通信装置を認証するために移動通信装置のメモリから認証データを自動的に送信することができる。
【００２３】
図４は呼を生成するためのユーザインターフェースの最初の実施例を示す。ユーザインターフェースを一般に４００と指称する。ユーザインターフェース４００はユーザの通信ブリッジへのアクセスを提供するためのユーザアカウントを生成させることができるようにユーザ選択可能な要素４０２を含んでいる。ユーザインターフェース４００は呼を生成するための通信ブリッジへのアクセスを提供するサービスの情報をも含んでいる。
【００２４】
図５は呼を生成するためのユーザインターフェースの２番目の実施例の図である。ユーザインターフェースを一般に５００と指称する。ユーザインターフェース５００はユーザが通信ブリッジを通して通信する権限があたえられているユーザアカウントに関連している電話番号を入力することを許可するためのユーザ入力要素５０４を含んでいる。入力された電話番号は、入力された電話番号と通信ブリッジに通話を発呼するときに受信される発呼者識別情報とを対照することによって電話を認証するのに使用することが可能である。ユーザインターフェース５００はユーザが通信ブリッジへのアクセスを有効にする、または無効にするためのユーザ選択可能な要素５０２をも含んでいる。ユーザインターフェース５００はユーザインターフェース５００で行われた変更を保存するためのユーザ選択可能な要素５０６をも含んでいる。
【００２５】
図６は呼を生成するためのユーザインターフェースの３番目の実施例の図である。ユーザインターフェースを一般に６００と指称する。ユーザインターフェース６００は通信ブリッジに関連しているユーザアクセス電話番号を表す入力を受信するためにユーザ入力要素６０２を含んでいる。ユーザアクセス電話番号は、ユーザに割り当てられた、ユーザのアカウントに関連づけられたアクセス番号である。ユーザアクセス電話番号宛に発呼された呼は、通信ブリッジか関連サーバシステムによって受信される。通信ブリッジを通して通信するための権限がユーザに与えられているのであれば、通信ブリッジへの呼は宛先通信アドレスへ適切な通信プロトコルで転送することができる。
【００２６】
ユーザインターフェース６００は通信ブリッジにアクセスする権限を与えられた電話に関連している電話番号を受信するためのユーザ入力要素６０４をも含んでいる。認可された電話に関連している電話番号は、特定の電話が権限を与えられて通信ブリッジを通して通信するための認証を行うために、通信ブリッジか関連サーバシステムによって使用できる。認可された電話に関連している電話番号は通信ブリッジか関連サーバシステムによって使用されて、請求処理目的のための顧客アカウントの呼にも関連づけすることができる。ユーザインターフェース６００はユーザがユーザインターフェース６００で変更したデータを保存するための、ユーザ選択可能な要素６０６をも含んでいる。例えば、ユーザ選択可能な要素６０６が選択されているとき、ユーザインターフェース６００で行われた変更は顧客アカウントレコードを更新するのに使用できる。
【００２７】
アイツーテレコム  インターナショナル  インコーポレイテッド（ｉ２  Ｔｅｌｅｃｏｍ  Ｉｎｔｅｒｎａｔｉｏｎａｌ，  Ｉｎｃ．）から利用可能なＭｙＧｌｏｂａｌＴａｌｋサービスで特定の実施例を示す。ＭｙＧｌｏｂａｌＴａｌｋは携帯電話ユーザの手中や、無線通信技術事業者、携帯端末製造業者、または音声／データプランを含めた無線通信事業者等に、インターネット電話を提供するものである。さらに、ＭｙＧｌｏｂａｌＴａｌｋはインターネットへのローカルのアクセスも、インターネット「ホットスポット」への近接もなしで十分に機能する。ユーザはデュアルモードＷｉＦｉ電話のサービス提供も待つ必要はない。ＭｙＧｌｏｂａｌＴａｌｋが顧客の既存の移動体端末を使用することでデュアルモード電話の費用面での利益を提供するからである。
【００２８】
ＭｙＧｌｏｂａｌＴａｌｋはスマートフォン携帯端末との互換性や、Ｊａｖａが有効になっている携帯端末や、標準の地上通信線電話（固定電話）、その他の通信装置などのように他のアプリケーションが有効になっている端末装置との互換性がある。ＭｙＧｌｏｂａｌＴａｌｋサービスはＭｙＧｌｏｂａｌＴａｌｋモバイルアプリケーションと図４−６に図示された実施例であるＭｙＧｌｏｂａｌＴａｌｋ商標付きのウェブサイトを含んでいる。ＭｙＧｌｏｂａｌＴａｌｋサービスは、「有線に拘束されない」方法で、モバイルユーザをＭｙＧｌｏｂａｌＴａｌｋが有効になった電話機を通してインターネットにアクセスすること（例えば、インターネット電話通信、電子メッセージ通信、またはウェブサイトアクセス）を可能にする。
【００２９】
ＭｙＧｌｏｂａｌＴａｌｋでは、ユーザは従来のダイヤル手順を変える必要はない  −  ただ宛先通信アドレスを入力するだけで（例えば、宛先電話番号をダイヤルする）後は適切にシステムが自動的にＭｙＧｌｏｂａｌＴａｌｋ通信ブリッジを利用する。例えば、携帯電話ユーザはＶｏＩＰに発呼するときに、アクセスコードをダイヤルすることも、通常のダイヤル手順に他の変更を加えることもなく彼らの携帯電話を使用することができる。さらに、ユーザは呼をＶｏＩＰ呼としたいときには指定することができる。これは同じ携帯端末でユーザの指定した設定に基づいて、いくつかの呼は通常の通話として、そしていくつかの呼はＶｏＩＰ呼として、自動的に発呼することを許可する。
【００３０】
初めてＭｙＧｌｏｂａｌＴａｌｋサービスにアクセスするためには、ユーザはＳＭＳメッセージのように、関連キーワードがある指定された共通ショートコード（Ｃｏｍｍｏｎ  Ｓｈｏｒｔ  Ｃｏｄｅ：ＣＳＣ）を使用してメッセージを送る。そして、ユーザは、ＭｙＧｌｏｂａｌＴａｌｋモバイルアプリケーションかウィジェットをダウンロードするためのリンクを含んでいるメッセージを受信する。そして、ユーザがリンクをクリックし、その人の移動体端末にアプリケーションがダウンロードされる。いったんアプリケーションをダウンロードすると、ユーザはその後のインストールとセットアップを開始する。インストールスクリプトでプロンプトが表示されると、ユーザはユーザがＭｙＧｌｏｂａｌＴａｌｋサービスに申し込みをしたときに、選択した電話番号（例えば、ユーザアクセス電話番号）を入力する。インストールとセットアップの処理中であっても、ユーザはアプリケーションを「有効」にすることができる。（これまでの分析から、ＭｙＧｌｏｂａｌＴａｌｋアプリケーションが有効になっている間、バッテリー消費が最小限に抑えられるという事実を示していることは注目に値する。）これらのステップがいったん完了すると、ユーザはセットアップフェーズを終了し、そして、ユーザはＭｙＧｌｏｂａｌＴａｌｋサービスを利用し始めることができる。
【００３１】
ユーザは余分なケタを入力する必要なく、シームレスに国際長距離電話にダイヤルすることができる。ちょうど通常の地上通信線電話（固定電話）から国際電話番号にダイヤルするように１つの番号としてダイヤルすることができる。また、ユーザにとって、以下のような別のオプションが利用可能である。
１）以下のものに選択的にＭｙＧｌｏｂａｌＴａｌｋを使用すること。
国際電話（通話）
国内電話（通話）
国内長距離電話（通話）
国際及び国内電話（通話）
全ての電話（通話）
インターネットの閲覧とアクセス
電子メッセージ通信
他の通信もしくは上記の組み合せ
２）ＭｙＧｌｏｂａｌＴａｌｋ  Ｐｒｅｓｅｎｃｅ  サービスを通してユーザの有用性を見つける
３）ＭｙＧｌｏｂａｌＴａｌｋ  Ｂｕｄｄｙ  ｌｉｓｔｓ（仲間リスト）
４）ＭｙＧｌｏｂａｌＴａｌｋ  Ｆｒｉｅｎｄｓ  ａｎｄ  Ｆａｍｉｌｙ（友達と家族）アカウントを共有する
５）ＭｙＧｌｏｂａｌＴａｌｋ  Ｐａｒｔｙ  Ｌｉｎｅ（パーティライン）電話会議を行う
６）ＭｙＧｌｏｂａｌＴａｌｋ  Ｈｉｄｅ- ｎ- Ｓｅｅｋ  インバウンド通信構文解析もしくはスクリーニングを行う
７）ＭｙＧｌｏｂａｌＴａｌｋ  Ｎｅｉｇｈｂｏｒｈｏｏｄ  Ｄｉａｌｉｎｇ（ご近所ダイヤル）１つのＭｙＧｌｏｂａｌＴａｌｋ番号から別のＭｙＧｌｏｂａｌＴａｌｋ番号へのダイヤル時に費用が掛からず通信できる
８）ＭｙＧｌｏｂａｌＴａｌｋ  Ｓｐｅｅｄ  Ｄｉａｌｓ（短縮ダイヤル）シングルクリックで特定の事前定義した通信アドレスを入力する
９）ＭｙＧｌｏｂａｌＴａｌｋ  ｖ−Ｂｒｉｄｇｅ  他のＶｏＩＰサービスプロバイダ、例えば、スカイプ（Ｓｋｙｐｅ）、またはグーグルトーク（ＧｏｏｇｌｅＴａｌｋ）に関連しているＶｏＩＰユーザに直接ダイヤルする
１０）ＭｙＧｌｏｂａｌＴａｌｋ  Ｒｅａｌ- Ｔｉｍｅ  通話中かもしくは通話終了時の通信料に関するユーザへのリアルタイムもしくは迅速なフィードバックを行う
【００３２】
ＭｙＧｌｏｂａｌＴａｌｋの１つの特徴はこれらのサービスが、ある無線通信会社によって提供された特定のサービスをどう利用するかに関連している。ＭｙＧｌｏｂａｌＴａｌｋは、顧客に多大な費用節約を提供し、非常に使い易いものであるが、ＭｙＧｌｏｂａｌＴａｌｋと連動することにより、かなり携帯電話の料金プランを下げることができる、商標付きの特徴を持った多くの通信事業者がある。例えば、多くの無線通信会社で、ある特定の事前選択された電話番号に無料通話をすることを許可する。例としてはティーモバイル（Ｔ−Ｍｏｂｉｌｅ）の「ｍｙＦａｖｅｓ」サービス、スプリント（Ｓｐｒｉｎｔ）の「Ｓｐｒｉｎｔ−ｔｏ−Ｈｏｍｅ」サービス、オールテル（ＡｌｌＴｅｌ）の「ｍｙＣｉｒｃＩｅ」サービスなどが含まれる。
【００３３】
ユーザは事前選択された通話料無料の電話番号、例えば、「自宅」または「お気に入り」電話番号として、その人のＭｙＧｌｏｂａｌＴａｌｋ電話番号（例えば、その人のユーザアクセス番号）を指定してもよい。例説すると、ティーモバイル（Ｔ−Ｍｏｂｉｌｅ）のｍｙＦａｖｅｓサービス利用者は最大５つの「お気に入り」電話番号を指定でき、スプリント（Ｓｐｒｉｎｔ）のＳｐｒｉｎｔ−ｔｏ−Ｈｏｍｅサービス利用者は１つの電話番号を指定でき、またオールテル（ＡｌｌＴｅｌ）のｍｙＣｉｒｃｌｅサービス利用者は最大１０の電話番号を指定できる。それぞれの場合、ＭｙＧＩｏｂａｌＴａｌｋユーザがその人のＭｙＧｌｏｂａｌＴａｌｋ電話番号を指定された電話番号の１つとして指定し、ＭｙＧｌｏｂａｌＴａｌｋアプリケーションが有効になっていると、呼が自動的にＭｙＧｌｏｂａｌＴａｌｋ通信ブリッジに転送され、その呼の通話時間は携帯電話通話プランの通話時間からは引かれない。商用旅行者、学生、軍関係のユーザ、海外居住者など、頻繁に国際電話を掛ける必要がある人達には、節約が非常に重要である。ＭｙＧｌｏｂａｌＴａｌｋでは、これらのユーザは自分の移動体端末から、分単位での課金や、無料通話分の割り当て、プリペイド通話時間等を使用しないで、通話をすることができる。すべての国際電話と国内通話のためのＭｙＧｌｏｂａｌＴａｌｋ機能を有効にするか、または「Ａｌｌ  Ｃａｌｌｓ」オプションを選択することによって、ユーザの携帯電話プランの通話時間に関係せずに、ユーザの通話のすべてを実施することができる。このことは、ユーザが携帯電話会社から提供される最低費用プランに申し込みをして、それでも制限無く国際電話や国内長距離通話をすることができることを許可することになる。
【００３４】
ＭｙＧｌｏｂａｌＴａｌｋは使用が簡単であり、いったん動かしてしまえば、それ以上調整を必要としない。ダウンロードとセットアップの処理過程ではインストールとセットアップの処理中に、アプリケーションを取得するために標準のＳＭＳテキストメッセージングと２つの簡単なデータエントリーポイントを利用する。
【００３５】
図７はＭｙＧｌｏｂａｌＴａｌｋアプリケーションなどのように、通信装置が通信ブリッジを通して自動的に通話を経路決定するのを有効にするためのアプリケーションをダウンロードする方法の特定の実施例を示す。方法を一般に７００と指称する。方法７００は７０２において、指定された共通ショートコード（Ｃｏｍｍｏｎ  Ｓｈｏｒｔ  Ｃｏｄｅ：ＣＳＣ）にメッセージを送信するのに移動体端末などの通信装置を使用することを含んでいる。例えば、メッセージは件名かメッセージ欄に「ＭｙＧｌｏｂａｌＴａｌｋ」というキーワードを含んでいてもよい。ＭｙＧｌｏｂａｌＴａｌｋサービスシステムは移動体端末に応答を送ってもよい。応答はリンクがアクティブになったときに、移動体端末をダウンロードサーバに接続するためのリンクを含むことができる。方法７００は７０４において、リンクを受信し、ライセンス契約を受けつけて、ダウンロードを開始するためにリンクを選択することも含んでいる。方法７００は７０６において、ダウンロードを受信することも含んでいる。例えば、ダウンロードはＭｙＧｌｏｂａｌＴａｌｋアプリケーションやＭｙＧｌｏｂａｌＴａｌｋアプリケーションをインストールするためのインストールアプリケーションまたはスクリプトを含むことができる。方法７００はさらに、７０８おいて、移動体端末にＭｙＧｌｏｂａｌＴａｌｋアプリケーションをインストールしてコンフィギュレーションを行うことも含んでいる。
【００３６】
図８はＭｙＧｌｏｂａｌＴａｌｋアプリケーションなどのように自動的に通信ブリッジに呼を経路決定するためのアプリケーションをダウンロードする方法の特定の実施例を示す。方法を一般に８００と指称する。方法８００は８０２において、ＭｙＧｌｏｂａｌＴａｌｋインストールアプリケーションがインストールを開始することを選択することを含んでいる。例えば、ユーザは移動体端末のメモリ内でアプリケーションを見つけて、インストール処理を開始するためにアプリケーション上でクリック（またはダブルクリック）してもよい。方法８００は８０４において、ＭｙＧｌｏｂａｌＴａｌｋアカウント加入手続き処理時に選択した電話番号（例えば、移動体端末に関連している電話番号、そして／または、ユーザアクセス番号）を入力することも含んでいる。方法８００は８０６において、ＭｙＧｌｏｂａｌＴａｌｋアプリケーションを有効にするのを選択することも含んでいる。
【００３７】
図９はＭｙＧｌｏｂａｌＴａｌｋアカウントのように、通信ブリッジにアクセスするためのユーザアカウントをセットアップする方法の特定の実施例を示す。方法を一般に９００と指称する。方法９００は９０２において、ＭｙＧｌｏｂａｌＴａｌｋサービスに関連しているユーザアカウントにアクセスすることを含んでいる。例えば、ユーザのＭｙＧｌｏｂａｌＴａｌｋサービスアカウントに関連しているユーザ名とパスワードを使用してユーザはオンラインアカウントにログインしてもよい。方法９００は９０４において、ＭｙＧｌｏｂａｌＴａｌｋアカウントオプションを選択することも含んでいる。方法９００は９０６において、ユーザがＭｙＧｌｏｂａｌＴａｌｋサービスで使用するのを予定している移動体端末（または、他の通信装置）に関連している通信アドレス（例えば、電話番号）を入力することも含んでいる。方法９００はさらに、９０８において、ＭｙＧｌｏｂａｌＴａｌｋの状態を有効に変更することを含んでいる。方法９００は９１０において、ＭｙＧｌｏｂａｌＴａｌｋアカウントへの変更を保存することも含んでいる。例えば、ユーザは「送信（ｓｕｂｍｉｔ）」オプションを選択してもよい。アカウント設定処理が完了すると、ＭｙＧｌｏｂａｌＴａｌｋサービスは使用準備が整ったことになる。
【００３８】
ＭｙＧｌｏｂａｌＴａｌｋサービスを利用するために、ユーザは宛先通信アドレスを入力する（例えば、普通に電話番号をダイヤルする）。ユーザの移動体端末で動作するＭｙＧｌｏｂａｌＴａｌｋアプリケーションは、セットアップオプションに基づく適切な呼の経路指定を決定する。さらに、ＭｙＧｌｏｂａｌＴａｌｋは、１）キーパッド、２）連絡先、３）呼履歴を含む、宛先通信アドレスを受け入れる複数の方法を可能にしている。それぞれの場合、ＭｙＧｌｏｂａｌＴａｌｋアプリケーションは宛先通信アドレスを解析し、ユーザの設定パラメータに従って呼を経路決定する。ＭｙＧｌｏｂａｌＴａｌｋアプリケーションは、アプリケーションのアップデート、新機能、またはより新しいバージョンが利用可能になったときはいつでも、ユーザがどうやってアップデート等を取得するのかの指示命令も一緒にして、彼らの移動体端末で通知を受信することができるようにし、ユーザが忘れないようにもする。ＭｙＧｌｏｂａｌＴａｌｋモバイルアプリケーションとアップデート等は彼らが使用するどの移動通信サービスプロバイダにかかわらず利用可能である。
【００３９】
本開示は、ネットワークに接続された装置が、ネットワーク上で音声、ビデオまたはデータ通信をすることができるように、指示命令を含んでいるか、または伝送された信号に反応して指示命令を受信し、また実行する、コンピュータ読み込み可能な媒体を想定している。さらに、指示命令はネットワークインターフェース機器を通してネットワーク上で伝送、もしくは受信されてもよい。「コンピュータ読み込み可能な媒体」という用語は、集中、または分散データベースや、そして／または、関連しているキャッシュやサーバのように１セット以上の指示命令を格納する、単独の媒体か複数の媒体を含んでいる。「コンピュータ読み込み可能な媒体」という用語は、格納、符号化ができるどのような媒体、そうでなければ、本明細書に開示された処理装置により実行されるか、コンピュータシステムにより実行される１つ以上の方法か操作のいずれかのセットの指示命令の実施実体を含んでいる。特定の非限定的な実施例では、コンピュータ読み込み可能な媒体はメモリカード、ＳＩＭカードまたは１つ以上の不揮発性リードオンリーメモリを収容する他のパッケージなどのソリッドステートメモリを含むことができる。さらに、コンピュータ読み込み可能な媒体は、ランダムアクセスメモリや他の揮発性の書き換え可能なメモリであってもよい。さらに、コンピュータ読み込み可能な媒体は、ディスクや、テープまたは他の記憶装置のような、光磁気式や、または光学式の媒体を含むことができる。
【００４０】
本明細書は特定の規格とプロトコルに関する特定の実施例で実施することができる構成要素と機能について記述しているが、開示された実施例はそのような規格やプロトコルに制限されない。例えば、インターネットや他のパケット交換網伝送の規格（例えば、ＴＣＰ／ＩＰ、ＵＤＰ／ＩＰ、ＨＴＭＬ、ＨＴＴＰ）は最新技術の例を示している。こうした規格は、本質的に同じ機能を持っているより高速か、より効率的な同等物によって定期的に取って代わられる。従って、本明細書に開示されるものと同じであるか同様の機能を持った代替規格とプロトコルはそれらの同等物であると考えられる。
【００４１】
本明細書に記述された実施例の説明は様々な実施例の仕組みの一般的な意味解釈を提供することを意図している。例説は本明細書に記述された仕組みや方法を利用するすべての要素と装置やシステムの機能の完全な記述として役目を果たすことを意図しているものではない。当業者が本開示を考査する場合、他の多くの実施例があることは明らかである。本開示の範囲から逸脱せずに構造的で論理的な代替と変更を行うことができるように、本開示から他の実施例を利用、導出、派生してもよい。さらに、例説は単に代表例であり、一定の規模のものとして描かれたものではない。例説中のある大きさ、広がりは拡大解釈されるかもしれないし、他の場合には縮小解釈されるかもしれない。従って、本開示と図面類は制限をしているという訳ではなく、むしろ例説の理解を容易にするものと見なされる。
【００４２】
本明細書にて本開示の１つ以上の実施例が、単に便宜便益や自発的に本出願の範囲をどのような特定の発明や発明の概念に対して制限する意図なく、「発明」という用語により個別に、そして／または、まとめて言及されている。且つまた、特定の実施例が本明細書にて例説、記述されているが、同じであるか同様の目的を達成するために設計されたどのようなその後の改作処置も、例示された特定の実施例に代替されることが理解されるべきである。本開示は様々な実施例のありとあらゆるその後の適合や改変を網羅することを意図している。上記実施例の組み合わせおよび本明細書に明確には記述されなかった他の実施例は、記述内容を考査する場合当業者には明白なものである。
【００４３】
上記開示された主題事項は例説的なもので、限定的なものではないと顧慮されるべきであり、本発明の範囲の範疇に入るようなすべての改変、および他の実施例を、添付される請求項が含んでいることを意図している。したがって、本発明の範囲は容認される最大の範囲に渡って、以下の請求項の最も広く許容される解釈によって決定されるものであり、上記の詳細な説明で制限しないものとする。
【図１】
2011507393.tif 000003
【図２】
2011507393.tif 000004
【図３】
2011507393.tif 000005
【図４】
2011507393.tif 000006
【図５】
2011507393.tif 000007
【図６】
2011507393.tif 000008
【図７】
2011507393.tif 000009
【図８】
2011507393.tif 000010
【図９】
2011507393.tif 000011
【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
呼生成の方法であって、
移動通信装置にて、宛先アドレスを表す入力を受信するステップと、
前記宛先アドレスが事前定義されたタイプであるかどうかを判断するステップと、
前記宛先アドレスが事前定義されたタイプであるとき、移動通信ネットワークを通して通信ブリッジに呼を開始して、前記宛先アドレスで装置に通信接続を開始するために指示命令を前記通信ブリッジに送信するステップと、
を含む方法。
【請求項２】
請求項１記載の方法であって、
前記宛先アドレスが事前定義されたタイプではないとき、前記移動通信ネットワークを通して前記宛先アドレスに通信を開始するステップをさらに含む方法。
【請求項３】
請求項１記載の方法であって、
前記移動通信ネットワークを通して認証情報を前記通信ブリッジに送信するステップをさらに含む方法。
【請求項４】
請求項３記載の方法であって、
前記認証情報が、発呼者識別情報を含む方法。
【請求項５】
請求項３〜４記載の方法であって、
前記認証情報を前記移動通信装置のユーザから受信しない方法。
【請求項６】
請求項１記載の方法であって、
前記宛先アドレスが事前定義されたタイプであるかどうかを判断するステップが、前記宛先アドレスの英数字ケタを解析することを含む方法。
【請求項７】
請求項１記載の方法であって、
前記宛先アドレスが事前定義されたタイプであるかどうかを判断するステップが、宛先アドレスパターンに前記宛先アドレスを対照することを含む方法。
【請求項８】
請求項１記載の方法であって、
前記宛先アドレスが事前定義されたタイプであるかどうかを判断するステップが、前記事前定義されたタイプを判断するためにユーザコンフィギュレーションデータにアクセスすることを含む方法。
【請求項９】
請求項１記載の方法であって、
前記事前定義されたタイプが、国際電話アドレスを含む方法。
【請求項１０】
請求項１記載の方法であって、
ユーザがダイヤルした前記通信ブリッジの電話アドレスを受信することなく、前記呼に関連した呼セットアップの期間中に、前記通信ブリッジへの前記呼が前記移動通信装置によって自動的に開始される方法。
【請求項１１】
請求項１記載の方法であって、
ユーザがダイヤルした前記通信ブリッジに関連したアクセスコードを受信することなく、前記呼に関連した呼セットアップの期間中に、前記宛先アドレスで前記装置への前記通信接続が前記通信ブリッジによって自動的に開始される方法。
【請求項１２】
請求項１１記載の方法であって、
前記通信ブリッジがＶｏＩＰ（Ｖｏｉｃｅ  ｏｖｅｒ  Ｉｎｔｅｒｎｅｔ  Ｐｒｏｔｏｃｏｌ) 電話ブリッジを含み、前記呼がＶｏＩＰ呼を含む方法。
【請求項１３】
移動通信装置であって、
宛先通信アドレスを表す入力を受信するための入力装置と、
前記宛先通信アドレスが事前定義されたタイプであるかどうかを判断するためのアドレス解析モジュールと、
前記宛先通信アドレスが事前定義されたタイプであるとき、通信ブリッジに呼を開始して、前記宛先通信アドレスで装置に通信接続を開始するために指示命令を前記通信ブリッジに送信するための呼モジュールと、
を備える移動通信装置。
【請求項１４】
請求項１３記載の移動通信装置であって、
前記呼モジュールは、音声通信データを前記通信ブリッジに送信して、前記宛先通信アドレスで前記装置と通信するためにＶｏＩＰ（Ｖｏｉｃｅ  ｏｖｅｒ  ＩｎｔｅｒｎｅｔＰｒｏｔｏｃｏｌ）データに変換されるように、さらに適合された移動通信装置。
【請求項１５】
請求項１３記載の移動通信装置であって、
前記アドレス解析モジュールは、前記宛先通信アドレスが事前定義されたタイプであるかどうかを判断するために前記宛先通信アドレスの英数字ケタを解析するように構成された移動通信装置。
【国際調査報告】
2011507393.tif 000012